(57)【要約】【課題】派遣者を派遣先である顧客の事業所に経路誘導することができる派遣者支援システムと、派遣者の前記派遣先における勤怠管理を行うことができる派遣者管理システムとを提供する。【解決手段】派遣者端末１１は、ＧＰＳ機能を備えたＧＰＳ情報取得部１１１と、表示部１１２と、入力部１１３と、通信部１１４を具備し、支援サーバ１２は、通信部１２１と、入力部１２２と、表示部１２３と、予め契約された所定の目的地対応の最寄り駅をテーブル形式で記憶する駅ＤＢ（データベース）１２４と、予め契約された所定の目的地対応の住所及び路線情報をテーブル形式で記憶する路線・住所ＤＢ１２５と、予め契約された所定の目的地近辺の地図（道路地図）を記憶する地図ＤＢとを具備して構成される。【選択図】      図１
2004198235.tif 000002
【特許請求の範囲】
【請求項１】
派遣者を派遣先まで経路誘導するための派遣者支援装置であって、
派遣者端末から送信された経路検索依頼に応じて、前記派遣先の最寄りの駅の駅名候補を検索し、かつ前記検索結果の候補駅名を、前記派遣者端末に送信する最寄り駅候補通知手段と、
前記候補駅名から選択された駅名の通知を受け取り、この駅名に基づいて前記派遣先までの経路を検索し、かつ前記検索の結果得られた経路の情報を、前記派遣者端末に送信する経路誘導手段と、
を備えたことを特徴とする派遣者支援装置。
【請求項２】
派遣者を派遣先まで経路誘導するための派遣者支援方法であって、
経路検索依頼を受け取り、前記派遣先の最寄りの駅の駅名候補を検索し、かつ前記検索の結果得られた候補駅名を送信するステップと、
前記候補駅名からいずれか一の駅名の選択を促すステップと、
選択された駅名の通知を受け取り、この駅名に基づいて前記派遣先までの経路を検索し、かつ前記検索の結果得られた経路の情報を送信するステップと
を有することを特徴とする派遣者支援方法。
【請求項３】
派遣者を派遣先まで経路誘導する派遣者支援装置であって、
位置情報取得可能な派遣者端末から送信された現在位置を示す位置情報を含む誘導依頼を受け取る誘導依頼受取手段と、
前記誘導依頼受取手段から位置情報を受取り、前記位置情報が示す現在位置から前記派遣先までの経路を検索し、かつこの検索の結果得られた経路情報を前記派遣者端末に送信する経路誘導手段と
を有することを特徴とする派遣者支援装置。
【請求項４】
派遣者を派遣先まで経路誘導する派遣者支援方法であって、
派遣者の現在位置を示す位置情報を含む誘導依頼を受け取るステップと、
前記誘導依頼に含まれる位置情報に基づいて、前記位置情報が示す現在位置から前記派遣先までの経路を検索し、かつこの検索の結果得られた経路情報を送信するステップと
を有することを特徴とする派遣者支援方法。
【請求項５】
所定の派遣先に派遣される派遣者の勤怠管理を行う勤怠管理装置であって、
前記派遣者が前記派遣先に到着した時及び前記派遣先を退出する時の少なくとも一方における現在位置を示す位置情報を派遣者端末から取得する手段と、
前記位置情報の時刻を示す情報を取得する手段と、
前記送信された位置情報と、この位置情報の時刻を示す情報とにより、前記派遣者の出退勤状況を把握するための勤怠情報を生成する勤怠情報生成手段と、
を有することを特徴とする勤怠管理装置。
【請求項６】
請求項５に記載の勤怠管理装置において、
前記勤怠管理装置は、前記勤怠情報生成手段から生成された勤怠情報を受取り、これを前記派遣者を管理する管理者が使用する依頼者端末に送信する報告手段をさらに具備することを特徴とする勤怠管理装置。
【請求項７】
所定の派遣先に派遣される派遣者の勤怠管理を行う勤怠管理方法であって、
前記派遣者が前記派遣先に到着した時及び前記派遣先を退出する時の少なくとも一方における現在位置を示す位置情報を受け取るステップと、
前記位置情報の時刻を示す情報を取得するステップと、
前記位置情報と位置情報の時刻を示す情報とに基づいて、前記派遣者の出退勤状況を把握するための勤怠情報を生成するステップと、
を有することを特徴とする勤怠管理装置。
【発明の詳細な説明】
【０００１】
【発明の属する技術分野】
本発明は派遣者支援装置、派遣者支援方法、勤怠管理装置、及び勤怠管理方法に関し、、特に、派遣者が携帯する端末装置を用いて派遣者を派遣先まで経路誘導する派遣者支援装置及び派遣者支援方法と、派遣者の携帯する端末装置を用いて派遣者の派遣先における出勤の有無、出勤時間などを扱う、勤怠管理装置及び勤怠管理方法に関する。ここで、「派遣者」とは、派遣要求先の要望に応じて、所望の地域、施設、店舗などに赴き、派遣要求先の要望に応じた労働力を提供する者をいい、その雇用形態は正社員、契約社員、パートタイマー、アルバイトなどどのようなものであっても、ここにいう「派遣者」に該当する。また「派遣者」が提供する労働の内容もどのようなものであっても良く、軽作業、単純作業、専門的技術・知識を要する高度な作業などどのような内容の作業を行うものもここにいう「派遣者」に該当する。
【０００２】
【従来の技術】
従来、派遣者を支援するために、派遣先（例えば、派遣者の場合は顧客の事業所等）に経路誘導する仕事は、管理元（派遣者を雇用する者、雇用先）において、地図を用意し、予め、派遣先の最寄りの駅や、利用できる鉄道路線名を確認し、該最寄りの駅から上記派遣先までの経路を地図上で調べて、当該派遣者に知らせる方法で行っていた。
【０００３】
また、従来、派遣者の勤怠管理は、派遣先である顧客側の勤怠管理システムに依存する方法や、派遣者の自己申告に頼る方法によって行っていた。
【０００４】
【発明が解決しようとする課題】
しかしながら、従来の派遣者支援の仕事は、前述のとおり、管理元（雇用先）において、地図を用意し、予め、派遣先に最寄りの駅や、利用できる鉄道路線名を確認し、該最寄りの駅から上記派遣先までの経路を地図上で調べて、当該派遣者に知らせる方法であったので、例えば、派遣者が派遣者である場合は、新人の派遣者を派遣する時、顧客の新規の事業所に派遣する時、及び派遣先の事業所が変更される時等において、その都度、前記最寄りの駅や、利用できる鉄道路線名、上記最寄りの駅から上記派遣先の事業所までの経路を当該派遣者に知らせておく必要があり、その手間が大変であるという問題点があった。
【０００５】
また、従来の派遣者の勤怠管理の仕事は、前述のとおり、派遣先である顧客側の勤怠管理システムに依存する方法や、派遣者の自己申告に頼る方法によって行っていたので、前者の場合は、顧客に余計な管理負担を掛けることとなり、また、後者の場合は、派遣者によって正確な自己申告が行われなければ、正しい勤怠管理ができないという問題点があった。
【０００６】
本発明は、上記従来の問題点に鑑みてなされたものであって、派遣者を派遣先に経路誘導することができる派遣者支援装置及び方法を提供することを目的としている。
【０００７】
また、本発明の他の目的は、派遣者の派遣先における勤怠管理を行うことができる勤怠管理装置及び方法を提供することにある。
【０００８】
【課題を解決するための手段】
本発明の第１の態様は、派遣者端末から送信された経路検索依頼に応じて、前記派遣先の最寄りの駅の駅名候補を検索し、かつ前記検索結果の候補駅名を、前記派遣者端末に送信する最寄り駅候補通知手段と、前記候補駅名から選択された駅名の通知を受け取り、この駅名に基づいて前記派遣先までの経路を検索し、かつ前記検索の結果得られた経路の情報を、前記派遣者端末に送信する経路誘導手段とを備えた派遣者支援装置（派遣者支援サーバ）として提案される。本発明の第１の態様によれば、派遣者に、派遣先に最寄りの駅の候補を示すと共に、派遣者が選択した最寄り駅から派遣先までの道程を経路誘導することができる派遣者支援装置が実現される。
【０００９】
本発明の第１の態様は、派遣者を派遣地まで誘導するための派遣者支援方法としても成立する。この派遣者支援方法は、経路検索依頼を受け取り、前記派遣先の最寄りの駅の駅名候補を検索し、かつ前記検索の結果得られた候補駅名を送信するステップと、前記候補駅名からいずれか一の駅名の選択を促すステップと、選択された駅名の通知を受け取り、この駅名に基づいて前記派遣先までの経路を検索し、かつ前記検索の結果得られた経路の情報を送信するステップと
を有することを特徴とする。
またさらに、本発明の第１の態様は、上記装置若しくは方法をコンピュータを用いて実現するためのプログラム及びそのプログラムを格納したコンピュータ読み取り可能なプログラム記憶媒体としても成立する。
【００１０】
また、本発明の第２の態様は、派遣者を派遣先まで経路誘導する派遣者支援装置（派遣者支援サーバ）であって、位置情報（ＧＰＳ情報）取得可能な派遣者端末から送信された現在位置を示す位置情報を含む誘導依頼を受け取る誘導依頼受取手段と、前記誘導依頼受取手段から位置情報を受取り、前記位置情報が示す現在位置から前記派遣先までの経路を検索し、かつこの検索の結果得られた経路情報を前記派遣者端末に送信する経路誘導手段とを有する派遣者支援装置として成立する。本発明の第２の態様によれば、派遣者の現在位置から派遣先までの道程を経路誘導することができるようにし、派遣者が途に迷うことなく指定された時刻に指定された派遣先にスムーズに到着できるようにする派遣者支援装置が実現される。
【００１１】
上記第２の態様は、派遣者を派遣先まで経路誘導する派遣者支援方法としても成立する。この派遣者支援方法は、派遣者の現在位置を示す位置情報を含む誘導依頼を受け取るステップと、前記誘導依頼に含まれる位置情報に基づいて、前記位置情報が示す現在位置から前記派遣先までの経路を検索し、かつこの検索の結果得られた経路情報を送信するステップとを有することを特徴とする。
【００１２】
またさらに、本発明の第２の態様は、上記装置若しくは方法をコンピュータを用いて実現するためのプログラム及びそのプログラムを格納したコンピュータ読み取り可能なプログラム記憶媒体としても成立する。
【００１３】
また、本発明の第３の態様は、所定の派遣先に派遣される派遣者の勤怠管理を行う勤怠管理装置（派遣者管理サーバ）であって、前記派遣者が前記派遣先に到着した時及び前記派遣先を退出する時の少なくとも一方における現在位置を示す位置情報を派遣者端末から取得する手段と、前記位置情報の時刻を示す情報を取得する手段と、前記送信された位置情報と、この位置情報の時刻を示す情報とにより、前記派遣者の出退勤状況を把握するための勤怠情報を生成する勤怠情報生成手段とを有することを特徴とし、このような構成により、派遣者の派遣先における勤怠管理を行うことができる派遣者管理システムを実現している。
【００１４】
上記第３の態様は、所定の派遣先に派遣される派遣者の勤怠管理を行う勤怠管理方法としても成立する。
【００１５】
この勤怠管理方法は、前記派遣者が前記派遣先に到着した時及び前記派遣先を退出する時の少なくとも一方における現在位置を示す位置情報を受け取るステップと、前記位置情報の時刻を示す情報を取得するステップと、前記位置情報と位置情報の時刻を示す情報とに基づいて、前記派遣者の出退勤状況を把握するための勤怠情報を生成するステップと、を有することを特徴とする。
【００１６】
またさらに、本発明の第３の態様は、上記装置若しくは方法をコンピュータを用いて実現するためのプログラム及びそのプログラムを格納したコンピュータ読み取り可能なプログラム記憶媒体としても成立する。
【００１７】
【発明の実施の形態】
以下、本発明の派遣者支援システムの実施の形態について、〔第１の実施形態〕、〔第２の実施形態〕の順に図面を参照して詳細に説明し、さらに本発明の派遣者管理システムの実施の形態について、〔第３の実施形態〕で図面を参照して詳細に説明する。
なお、それぞれの実施形態の説明では、本発明の一実施の態様にかかる派遣者支援サーバまたは派遣者管理サーバを用いた派遣者支援システムまたは派遣者管理システムについて詳述する。
【００１８】
〔第１の実施形態〕
図１は、本発明に係る第１の実施形態の派遣者支援システムの構成を示す構成図である。
【００１９】
図１において、本実施形態の派遣者支援システムは、各構成要素を通信可能に接続する通信網１０と、派遣される１以上の派遣者がそれぞれ保持する複数の派遣者端末１１（１１ａ〜１１ｎ）と、派遣者（派遣者）の支援を行う支援サーバ１２と、派遣者の雇用元であり支援サーバ１２に派遣者の支援を依頼する複数の管理元の各々が保持する１以上の依頼者端末１３（１３ａ〜１３ｎ）とを備えて構成されている。
【００２０】
派遣者端末１１は、ＧＰＳ（Global Positioning System）機能を備えたＧＰＳ情報取得部１１１と、データ入力画面や経路情報を表示する表示部１１２と、表示部１１２のデータ入力画面等にデータを手操作入力するための入力部１１３と、支援サーバ１２等と通信網１０を介した双方向通信を行う通信部１１４とを具備する
【００２１】
支援サーバ１２は、依頼者端末１３及び派遣者端末１１と、通信網１０を介した双方向通信を行う通信部１２１と、データや指令を手操作入力するための入力部１２２と、制御内容／受信データ／管理データを表示するための表示部１２３と、予め契約された所定の目的地対応の最寄り駅をテーブル形式で記憶する駅ＤＢ（データベース）１２４と、予め契約された所定の目的地対応の住所及び路線情報をテーブル形式で記憶する路線・住所ＤＢ１２５と、予め契約された所定の目的地近辺の地図（道路地図）を記憶する地図ＤＢとを具備する。
【００２２】
依頼者端末１３は、少なくとも、支援サーバ１２等と、通信網１０を介した双方向通信を行う図示しない通信部と、受信した報告内容（管理情報）を表示する図示しない表示部（または印刷部）とを具備する。
【００２３】
通信網１０は、公衆電話網、携帯電話網、インターネット網、及び私設のＬＡＮ（Local Area Network）等を含めて構成することができるものとする。
【００２４】
なお、ＧＰＳ情報取得部１１１は、本実施形態としてはオプショナルな構成要素であり、よって、本実施形態においては使用する必要がない。
【００２５】
以下、本実施形態に係る派遣者支援システムの動作について説明する。
【００２６】
図２は、本発明に係る第１の実施形態の派遣者支援システムの派遣者端末に表示される各入力画面と誘導経路の表示画面とを示す説明図である。
【００２７】
図３は、本発明に係る第１の実施形態の派遣者支援システムの主要な構成要素間を流れる情報の流れと、その順序を示すデータフロー図である。
【００２８】
派遣者の管理元（雇用先）は、依頼者端末１３の図示しない通信部から、支援サーバ１２に、図３に示す支援依頼（Ｐ１）を送信する。この支援依頼（Ｐ１）には、派遣者の氏名、ＩＤ、パスワード、及び目的地名（目的地名の総称、略称、屋号、暗号名）が含まれている。
【００２９】
また、派遣者の管理元（雇用先）は、支援サーバ１２の通信部１２１から、通信網１０を介して、報告（Ｐ６）（派遣者の氏名、ＩＤ、パスワード、選択された最寄り駅、及び経路情報（Ｐ５）を含む情報）を、依頼者端末１３において受信した場合は、これを図示しない表示部に表示して確認すると共に、必要に応じて当該派遣者に連絡する。
【００３０】
一方、派遣者は、自宅近辺の駅から目的地に出発するに際し、派遣者端末１１の入力部１１３を介して、入力画面呼び出し指令を、制御部１１５に送出し、表示部１１２に、図２（ａ）に示す「最寄り駅名入力付依頼画面」を呼び出す。次に、派遣者は、管理元（雇用先）から自己に割り当てられているＩＤ（識別番号）と、パスワードを入力部１１３を介して「最寄り駅名入力付依頼画面」に入力し、さらに、目的地名（顧客の事業所名）の総称、略称、屋号、暗号名のいずれか１つを入力し、これを送信する（より具体的には、「最寄り駅名入力付依頼画面」に表示されている送信ボタンをクリックする）。これにより、派遣者端末１１の通信部１１４からは、図３に示す最寄り駅名の送付依頼（Ｐ２）が、通信網１０を介して支援サーバ１２に送信される。その後、この返信として、支援サーバ１２の通信部１２１から、図３に示す候補駅名（Ｐ３）が通信網１０を介して送信されてくると、最終的に、制御部１１５は、この候補駅名（Ｐ３）を、表示部１１２に、図２（ｂ）に示す「候補駅名表示画面」として表示する。
【００３１】
これにより、上記派遣者は、次に、派遣者端末１１の入力部１１３を介して、制御部１１５に、入力画面呼び出し指令を送出し、表示部１１２に、図２（ｃ）に示す「選択駅名入力画面」を呼び出す。この「選択駅名入力画面」は、先の「候補駅名表示画面」とサムネイル表示されるものとする。
【００３２】
また、これにより、次に、上記派遣者は、利用する最寄り駅を選択し、かつ選択した最寄り駅までの鉄道路線を利用するに先立って、または利用した後で、この「選択駅名入力画面」を介して、自己が選択した上記駅の駅名、または先の「候補駅名表示画面」に表示されていた駅の番号を入力して送信する。なお、制御部１１５は、先の「候補駅名表示画面」を表示する時に、この「選択駅名入力画面」も併せて表示するように構成することも可能である。
【００３３】
前述の送信により、派遣者端末１１の送信部１１４からは、図３に示す選択駅名（Ｐ４）が、通信網１０を介して支援サーバ１２に送信される。その後、この返信として、支援サーバ１２の通信部１２１から、図３に示す経路情報（Ｐ５）が通信網１０を介して送信されてくると、最終的に、制御部１１５は、この経路情報（Ｐ５）を、表示部１１２に、図２（ｄ）に示す「誘導経路表示画面」として表示するので、上記派遣者は、この「誘導経路表示画面」を目視することにより、上記最寄り駅から目的地である顧客の事業所までの経路を迷わずに選択して該目的地に到達することができる。なお、この「誘導経路表示画面」の表示内容は、図示しない印刷部によって印刷することも可能である。
【００３４】
支援サーバ１２は、派遣者端末１１から、最寄り駅名の送付依頼（Ｐ２）を、通信網１０を介して受信すると、制御部１２７が、この送付依頼（Ｐ２）に含まれている派遣者のＩＤ（識別番号）及びパスワードを、予め派遣者の管理元（雇用先）から送信され、図示しない記憶部に記録している派遣者のＩＤ（識別番号）及びパスワードと照合することで当該派遣者を認証する。
【００３５】
さらに、支援サーバ１２は、この送付依頼（Ｐ２）に含まれている目的地に関する情報（最寄り駅駅名の送付依頼（Ｐ２）には、目的地名の総称、略称、屋号、暗号名のいずれか１つが含まれている）を確認した後、これをキーとして、予め契約された所定の目的地対応の最寄り駅をテーブル形式で記憶している駅ＤＢ１２４を検索し、その結果として、候補となる駅名（１つ以上）を取り出し、これにより、候補駅名（Ｐ３）を作成して、通信部１２１から、通信網１０を介して、先の最寄り駅名の送付依頼（Ｐ２）を送信してきた派遣者端末１１に返信する（最寄り駅候補通知手段）。
【００３６】
また、支援サーバ１２は、派遣者端末１１から、選択駅名（Ｐ４）を、通信網１０を介して受信すると、この選択駅名（Ｐ４）に含まれている最寄り駅に関する情報（選択駅名（Ｐ４）には、最寄り駅として選択された駅の駅名または番号が含まれている）と、最寄り駅駅名の送付依頼（Ｐ２）を受信した際に確認済の目的地（顧客の事業所）とをキーパラメータとして、予め契約された所定の目的地（顧客の事業所）対応の最寄り駅をテーブル形式で記憶している路線・住所ＤＢ１２５を検索し、さらに地図ＤＢ１２６上の地図情報を使用して、上記最寄り駅から上記目的地までの経路情報（Ｐ５）を作成して、通信部１２１から、通信網１０を介して、先の選択駅名（Ｐ４）を送信してきた派遣者端末１１に返信する（経路誘導手段）。なお、この経路情報（Ｐ５）の作成を支援する手段、または、この経路情報（Ｐ５）を作成する他の手段として、既成のナビゲーションシステムの機能を使用することが可能である。
【００３７】
さらに、支援サーバ１２は、上記サービスの提供を行った派遣者の氏名、ＩＤ、パスワード、経路情報（Ｐ５）を、通信部１２１から、通信網１０を介して、依頼者端末１３に送信する。
【００３８】
図４は、本発明に係る第１の実施形態の派遣者支援システムの動作を示すフローチャートである。
【００３９】
以下、図１〜３を参照し、また、図４に示すフローチャートを使用して、本実施形態に係る派遣者支援システムの動作を説明する。
【００４０】
まず、依頼者端末１３は、管理者の指示（手操作）により、支援サーバ１２に対して、目的地（顧客の事業所）に派遣する派遣者の支援（最寄り駅の通知サービスや、最寄り駅から事業所までの経路誘導サービス）を依頼する支援依頼（Ｐ１）を送信する（ステップＳ１）。
【００４１】
その後、派遣者端末１１は、派遣者の指示（手操作）により、「最寄り駅駅名の送付依頼入力画面（図２（ａ）参照）」を介して利用する最寄り駅を選択するための最寄り駅駅名の送付依頼（Ｐ２）を作成し、これを支援サーバ１２に送信する（ステップＳ２）。
【００４２】
これを受けて、支援サーバ１２は、送付依頼（２に含まれている派遣者のＩＤとパスワードとを、予め派遣者の管理元（雇用先）から送信されている派遣者のＩＤ（識別番号）及びパスワードと照合することで当該派遣者を認証し、さらに、最寄り駅駅名の送付依頼（Ｐ２）に含まれている目的地名により目的地（顧客の事業所）を確認する（ステップＳ３）。
【００４３】
次に、支援サーバ１２は、該目的地に対応する最寄り駅の候補を、駅ＤＢ１２４を検索することで取り出し、これにより候補駅名（Ｐ３）を作成した後、該候補駅名Ｐ３を派遣者端末１１に返信する（ステップＳ４）。
【００４４】
これを受けて、派遣者端末１１は、受信した候補駅名（Ｐ３）により、最寄り駅の候補となる駅名を表示部１１２に「候補駅名表示画面（図２（ｂ）参照）」として表示する（ステップＳ５）。
【００４５】
また、派遣者端末１１は、「選択駅名入力画面（図２（ｃ）参照）」を表示部１１２に呼び出して、利用する最寄りの駅名（またはその番号）を指定入力することで選択駅名（Ｐ４）を作成し、これを支援サーバ１２に送信する（ステップＳ６）。
【００４６】
これを受けて、支援サーバ１２は、選択駅名（Ｐ４）により指定された最寄り駅と、ステップＳ３において確認済の目的地（顧客の事業所）とをキーパラメータとして、路線・住所ＤＢ１２５を検索し（または、既成のナビゲーションシステムを駆動して）、さらに地図ＤＢ１２６上の地図情報を使用して、上記最寄り駅から、上記確認済の目的地（顧客の事業所）に至るまでの経路情報（Ｐ５）を得る（ステップＳ７）。
【００４７】
次に、支援サーバ１２は、上記得られた経路情報（Ｐ５）を、派遣者端末１１に返信する。また、該経路情報（Ｐ５）を、支援サーバ１２内の図示しない報告書作成部に送出する（ステップＳ８）。
【００４８】
これを受けて、派遣者端末１１は、受信した経路情報（Ｐ５）により作成した「誘導経路表示画面（図２（ｄ）参照）」を、表示部１１２に表示する（ステップＳ９）。
【００４９】
なお、上記の図示しない報告書作成部は、上記経路情報（Ｐ５）に加えて、当該派遣者の氏名、ＩＤ、パスワードを含む情報を、報告すべき結果情報、即ち報告（Ｐ６）として、通信部１２１から、通信網１０を介して、依頼者端末１３に送信する（ステップＳ１０）。
【００５０】
これを受けて、依頼者端末１３は、上記報告（Ｐ６）に含まれている当該派遣者の氏名、ＩＤ、パスワード、選択された最寄り駅、及び上記経路情報（Ｐ５）を、図示しない表示部に表示する。これにより、依頼元の管理者は、この内容を確認すると共に、必要に応じて当該派遣者に連絡する（ステップＳ１１）。
【００５１】
この第１の実施の形態によれば、派遣者を派遣先である顧客の事業所に派遣するに際し、該事業所に最寄りの駅を当該派遣者に知らせることができると共に、該最寄り駅から上記派遣先に至るまでの路線を、当該派遣者に知らせることにより、当該派遣者を、経路誘導することができる効果がある。
【００５２】
なお、この実施の形態では、派遣者に対して目的地までの道案内を行う支援システムとして説明したが、本発明は、一般に、自社の従業員や、自社の来客、自社の顧客等の一般的な対象に対して同様の支援サービスを行うシステムとすることは、容易に可能である。
【００５３】
〔第２の実施形態〕
本発明に係る第２の実施形態の派遣者支援システムの構成は、図１に示す構成と同じである（但し、ＧＰＳ情報取得部１１１はオプショナルではなく、必須の構成要素となる）ので、構成図は図１を使用するものとする。本実施形態の派遣者支援システムは、第１の実施形態の派遣者支援システムと比べて、送受信される情報、及びその処理内容が異なるだけであるので、以下では、その点に限って説明する。
【００５４】
以下、本実施形態に係る派遣者支援システムの動作について説明する。
【００５５】
図５は、本発明に係る第２の実施形態の派遣者支援システムの派遣者端末に表示される各入力画面と誘導経路の表示画面とを示す説明図である。
【００５６】
図６は、本発明に係る第２の実施形態の派遣者支援システムの主要な構成要素間を流れる情報の流れと、その順序を示すデータフロー図である。
【００５７】
派遣者の管理元（雇用先）は、依頼者端末１３の図示しない通信部から、支援サーバ１２に、図６に示す支援依頼（Ｐ２１）を送信する。この支援依頼（Ｐ２１）には、派遣者（派遣者）の氏名、ＩＤ、パスワード、及び目的地名（目的地名の総称、略称、屋号、暗号名）が含まれている。
【００５８】
また、派遣者の管理元（雇用先）は、支援サーバ１２の通信部１２１から、通信網１０を介して、報告（Ｐ２４）（派遣者の氏名、ＩＤ、パスワード、誘導依頼Ｐ２２発信時の現在地、及び経路情報（Ｐ２３）を含む情報）を、依頼者端末１３において受信した場合は、これを図示しない表示部に表示して確認すると共に、必要に応じて当該派遣者に連絡する。
【００５９】
一方、派遣者は、自宅近辺の駅から目的地に向けて進行するに際し、誘導を必要とする地点において、入力部１１３を介して制御部１１５に、図５（ａ）に示す「ＧＰＳ情報取得画面」の呼び出し指令を送出し、この「ＧＰＳ情報取得画面」が表示部１１２に表示されると、「はい」を送信（クリック）し、これにより、ＧＰＳ情報取得部１１１を介して、制御部１１５に、現在地点のＧＰＳ情報を取得せしめる。
【００６０】
その後、この派遣者は、入力部１１３を介して制御部１１５に、図５（ｂ）に示す「誘導依頼入力画面」の呼び出し指令を送出し、この「誘導依頼入力画面」が表示部１１２に表示されると、この派遣者は、管理元（雇用先）から自己に割り当てられているＩＤ（識別番号）とパスワードを、入力部１１３を介して、この「誘導依頼入力画面」に入力し、さらに、目的地名（顧客の事業所名）の総称、略称、屋号、暗号名のいずれか１つを入力し、これを送信する。これにより、派遣者端末１１の通信部１１４からは、図６に示す誘導依頼（Ｐ２２）が、通信網１０を介して支援サーバ１２に送信される。なお、この誘導依頼（Ｐ２２）には、先に、当該派遣者が、ＧＰＳ情報取得部１１１を介して制御部１１５に取得せしめた派遣者の現在地点を示すＧＰＳ情報が自動的に付加されるものとする。
【００６１】
その後、この誘導依頼（Ｐ２２）に対する返信として、支援サーバ１２の通信部１２１から、図６に示す経路情報（Ｐ２３）が通信網１０を介して送信されてくると、最終的に、制御部１１５は、この経路情報（Ｐ２３）を、表示部１１２に、図５（ｃ）に示す「誘導経路表示画面」として表示するので、上記派遣者は、この「誘導経路表示画面」を目視することにより、前述の現在地点から、目的地である顧客の事業所までの経路を迷わずに選択して該目的地に到達することができる。なお、この「誘導経路表示画面」の表示内容は、図示しない印刷部によって印刷することも可能である。
【００６２】
支援サーバ１２は、派遣者端末１１から、上記ＧＰＳ情報を含む誘導依頼（Ｐ２２）を、通信網１０を介して受信すると、制御部１２７が、この誘導依頼（Ｐ２２）に含まれている派遣者のＩＤ（識別番号）及びパスワードを、予め派遣者の管理元（雇用先）から送信され、図示しない記憶部に記録している派遣者のＩＤ（識別番号）及びパスワードと照合することで当該派遣者を認証する。
【００６３】
さらに、支援サーバ１２は、この誘導依頼（Ｐ２２）に含まれている目的地に関する情報（誘導依頼（Ｐ２２）には、目的地名の総称、略称、屋号、暗号名のいずれか１つが含まれている）を確認した後、上記ＧＰＳ情報が示す上記現在地と、上記確認済の目的地（顧客の事業所）とをキーパラメータとして、予め契約された所定の目的地（顧客の事業所）対応の近辺路線をテーブル形式で記憶している路線・住所ＤＢ１２５を検索し、さらに地図ＤＢ１２６上の地図情報を使用して、上記現在地から上記目的地までの経路情報Ｐ（２３）を作成して、通信部１２１から、通信網１０を介して、先の誘導依頼（Ｐ２２）を送信してきた派遣者端末１１に返信する（経路誘導手段）。なお、この経路情報（Ｐ２３）の作成を支援する手段、または、この経路情報（Ｐ２３）を作成する他の手段として、既成のナビゲーションシステムの機能を使用することが可能である。
【００６４】
さらに、支援サーバ１２は、上記サービスの提供を行った派遣者の氏名、ＩＤ、パスワード、経路情報（Ｐ２３）を、通信部１２１から、通信網１０を介して、依頼者端末１３に送信する。
【００６５】
図７は、本発明に係る第２の実施形態の派遣者支援システムの動作を示すフローチャートである。
【００６６】
以下、図１，５，６を参照し、また、図７に示すフローチャートを使用して、本実施形態に係る派遣者支援システムの動作を説明する。
【００６７】
まず、依頼者端末１３は、管理者の指示（手操作）により、支援サーバ１２に対して、目的地（顧客の事業所）に派遣する派遣者の支援（現在地から、顧客の事業所までの経路誘導サービス）を依頼する支援依頼（Ｐ２１）を送信する（ステップＳ２１）。
【００６８】
その後、派遣者端末１１は、派遣者の指示（手操作）により、「位置情報取得画面（図５（ａ）参照）」を介して、自己の現在地点を示すＧＰＳ情報を取得し、図５（ｂ）に示す「誘導依頼画面」を介して、上記ＧＰＳ情報を含む誘導依頼（Ｐ２２）を、支援サーバ１２に送信する（ステップＳ２２）。
【００６９】
これを受けて、支援サーバ１２は、上記誘導依頼（Ｐ２２）に含まれている派遣者のＩＤとパスワードとを、予め派遣者の管理元（雇用先）から送信されている派遣者のＩＤ（識別番号）及びパスワードと照合することで当該派遣者を認証し、さらに、上記誘導依頼（Ｐ２２）に含まれている目的地名により目的地（顧客の事業所）を確認する（ステップＳ２３）。
【００７０】
次に、支援サーバ１２は、上記誘導依頼（Ｐ２２）に含まれている派遣者の現在地点を示す上記ＧＰＳ情報と、ステップＳ２３において確認済の目的地（顧客の事業所）とをキーパラメータとして、路線・住所ＤＢ１２５を検索し（または、既成のナビゲーションシステムを駆動して）、さらに地図ＤＢ１２６上の地図情報を使用して、上記派遣者の現在地点から、上記確認済の目的地（顧客の事業所）に至るまでの経路情報（Ｐ２３）を得る（ステップＳ２４）。
【００７１】
次に、支援サーバ１２は、上記得られた経路情報（Ｐ２３）を、派遣者端末１１に返信する。また、該経路情報（Ｐ２３）を、支援サーバ１２内の図示しない報告書作成部に送出する（ステップＳ２５）。
【００７２】
これを受けて、派遣者端末１１は、受信した経路情報（Ｐ２３）により作成した「誘導経路表示画面（図５（ｄ）参照）」を、表示部１１２に表示する（ステップＳ２６）。
【００７３】
なお、上記の図示しない報告書作成部は、上記経路情報（Ｐ２３）に加えて、当該派遣者の氏名、ＩＤ、パスワードを含む情報を、報告すべき結果情報、即ち報告（Ｐ２４）として、通信部１２１から、通信網１０を介して、依頼者端末１３に送信する（ステップＳ２７）。
【００７４】
これを受けて、依頼者端末１３は、上記報告（Ｐ２４）に含まれている当該派遣者の氏名、ＩＤ、パスワード、及び上記経路情報（Ｐ２３）を、図示しない表示部に表示する。これにより、依頼元の管理者は、この内容を確認すると共に、必要に応じて当該派遣者に連絡する（ステップＳ２８）。
【００７５】
この第２の実施の形態によれば、派遣者を派遣先に派遣するに際し、当該派遣者の任意の時点における現在地点から、上記派遣先に至るまでの路線を、当該派遣者に対して知らせることにより、当該派遣者を、経路誘導することができる効果がある。
【００７６】
この第２の実施の形態によれば、派遣者を派遣先である顧客の事業所に派遣するに際し、当該派遣者の任意の時点における現在地点から、上記派遣先である顧客の事業所に至るまでの路線を、当該派遣者に知らせることにより、当該派遣者を、経路誘導することができる効果がある。
【００７７】
なお、この実施の形態では、派遣者に対して目的地までの道案内を行う支援システムとして説明したが、本発明は、一般に、自社の従業員や、自社の来客、自社の顧客等の一般的な対象に対して同様の支援サービスを行うシステムとすることは、容易に可能である。
【００７８】
〔第３の実施形態〕
本発明に係る第３の実施形態の派遣者管理システムの構成は、図１に示す構成と同じである（但し、ＧＰＳ情報取得部１１１はオプショナルではなく、必須の構成要素となる）ので、構成図は図１を使用するものとする。本実施形態の派遣者管理システムは、第１の実施形態の派遣者支援システムと比べて、送受信される情報、及びその処理内容が異なるだけであるので、以下では、その点に限って説明する。
【００７９】
以下、本実施形態に係る派遣者管理システムの動作について説明する。
【００８０】
図８は、本発明に係る第３の実施形態の派遣者管理システムの派遣者端末に表示される出退勤情報表示画面を示す説明図である。
【００８１】
図９は、本発明に係る第３の実施形態の派遣者管理システムの主要な構成要素間を流れる情報の流れと、その順序を示すデータフロー図である。
【００８２】
派遣者の管理元（雇用先）は、依頼者端末１３の図示しない通信部から、支援サーバ１２に、図９に示す管理依頼（Ｐ３１）を送信する。この支援依頼（Ｐ３１）には、派遣者の氏名、ＩＤ、パスワード、及び目的地名（目的地名の総称、略称、屋号、暗号名）が含まれている。
【００８３】
また、派遣者の管理元（雇用先）は、支援サーバ１２の通信部１２１から、通信網１０を介して、報告（Ｐ３４）（派遣者の氏名、出退社月日、出退社時刻、位置情報の住所を含む出退社情報）を、依頼者端末１３において受信した場合は、これを図示しない表示部に表示して確認すると共に、当該派遣者に関する管理情報（勤怠情報）として保管・管理する。
【００８４】
一方、派遣者は、目的地（顧客の事業所）に到達した場合（即ち、出社した場合）に、ＧＰＳ情報取得部１１１を介して、前述の第２の実施形態と同じ手段により、制御部１１５に、現在地点（即ち、出社した顧客の事業所の位置）を示すＧＰＳ情報を取得せしめた後、入力部１１３を介して、制御部１１５に、図８（ａ）に示す「出社届け出画面」の呼び出し指令を送出し、この「出社届け出画面」が表示部１１２に表示されると、自己のＩＤとパスワードを入力し、送信する（寄り具体的には、送信ボタンをクリックする）。
【００８５】
これにより、派遣者端末１１の通信部１１４からは、図９に示す出退社報告（Ｐ３２）が、通信網１０を介して支援サーバ１２に送信される（出退勤届け出手段）。但し、この場合は、上記出退社報告（Ｐ３２）には、「出社届け出画面」からの情報であることを示す情報が含められている。また、この出退社報告（Ｐ３２）には、先に、当該派遣者が、ＧＰＳ情報取得部１１１を介して制御部１１５に取得せしめた派遣者の現在地点（即ち、出社した顧客の事業所の位置）を示すＧＰＳ情報と、現在月日及び現在時刻とが自動的に付加されるものとする。
【００８６】
その後、支援サーバ１２の通信部１２１から、通信網１０を介して、確認用情報（Ｐ３３）が返信されてくると、最終的に、通信端末１１の制御部１１５は、この確認用情報（Ｐ３３）により、図８（ｃ）に示す「出退勤情報表示画面」を、表示部１１２に表示する。これにより、当該派遣者は、自己の出退勤情報を確認することができる。
【００８７】
また、派遣者は、目的地（顧客の事業所）から退出する場合（即ち、退社する場合）に、ＧＰＳ情報取得部１１１を介して、前述の第２の実施形態と同じ手段により、制御部１１５に、現在地点（即ち、退出すべき顧客の事業所の位置）を示すＧＰＳ情報を取得せしめた後、入力部１１３を介して、制御部１１５に、図８（ｂ）に示す「退社届け出画面」の呼び出し指令を送出し、この「退社届け出画面」が表示部１１２に表示されると、自己のＩＤとパスワードを入力し、送信する（寄り具体的には、送信ボタンをクリックする）。但し、この派遣者が出社時の事業所に留まって作業に従事し、退社する場合は、出社時において、この事業所の位置を示すＧＰＳ情報は取得済であるので、この退社の際の前述のＧＰＳ情報の取得は省略することができる。
【００８８】
これにより、派遣者端末１１の通信部１１４からは、図９に示す出退社報告（Ｐ３２）が、通信網１０を介して支援サーバ１２に送信される（出退勤届け出手段）。但し、この場合は、上記出退社報告（Ｐ３２）には、「退社届け出画面」からの情報であることを示す情報が含められている。また、この出退社報告（Ｐ３２）には、先に、当該派遣者が、ＧＰＳ情報取得部１１１を介して制御部１１５に取得せしめた派遣者の現在地点（即ち、退出すべき顧客の事業所の位置）を示すＧＰＳ情報と、現在月日及び現在時刻とが自動的に付加されるものとする。
【００８９】
その後、支援サーバ１２の通信部１２１から、通信網１０を介して、確認用情報（Ｐ３３）が返信されてくると、最終的に、通信端末１１の制御部１１５は、この確認用情報（Ｐ３３）により、図８（ｃ）に示す「出退勤情報表示画面」を、表示部１１２に表示する。これにより、当該派遣者は、自己の出退勤情報を確認することができる。
【００９０】
支援サーバ１２は、派遣者端末１１から、上記ＧＰＳ情報を含む出退社報告（Ｐ３２）を、通信網１０を介して受信すると、制御部１２７が、この出退社報告（Ｐ３２）に含まれている派遣者のＩＤ（識別番号）及びパスワードを、予め派遣者の管理元（雇用先）から送信され、図示しない記憶部に記録している派遣者のＩＤ（識別番号）及びパスワードと照合することで当該派遣者を認証する。
【００９１】
さらに、支援サーバ１２は、この出退社報告（Ｐ３２）に付加されている前述のＧＰＳ情報をキーとして、路線・住所ＤＢ１２５を検索し、上記派遣者の現在地点に対応する住所を割り出し、さらにこの住所から、対応する派遣先（顧客の事業所名）を割り出し、この割り出した目的地の名称（顧客の事業所名）と、同じく出退社報告（Ｐ３２）に付加されている出社／退社の区別を示す情報、現在時刻、現在月日を、前述の認証した派遣者に対応する出退勤情報（図８（ｃ）参照）を記録するファイルに記録する（勤怠情報作成手段）。
【００９２】
さらに、支援サーバ１２は、上記サービスの提供を行った派遣者の氏名、ＩＤ、パスワード、出退勤簿（出退社情報）を、通信部１２１から、通信網１０を介して、依頼者端末１３に送信する（報告手段）。
【００９３】
なお、派遣者がＧＰＳ情報を採取して、支援サーバ１２に送信した月日と時刻は、もしも通信網１０に遅延が無いことが補償されている場合は、上記通信内容に頼らず、支援サーバ１２において独自に把握することが可能である。
【００９４】
図１０は、本発明に係る第３の実施形態の派遣者管理システムの動作を示すフローチャートである。
【００９５】
以下、図１，８，９を参照し、また、図１０に示すフローチャートを使用して、本実施形態に係る派遣者管理システムの動作を説明する。
【００９６】
まず、依頼者端末１３は、管理者の指示（手操作）により、支援サーバ１２に対して、目的地（顧客の事業所）に派遣する派遣者の管理（勤怠管理サービス）を依頼する管理依頼（Ｐ３１）を送信する（ステップＳ３１）。
【００９７】
その後、派遣者端末１１は、目的地（顧客の事業所）に出社した派遣者の指示（手操作）により、「位置情報取得画面（図５（ａ）参照）」を介して、自己の現在地点を示すＧＰＳ情報を取得する（ステップＳ３２）。
【００９８】
その後、上記派遣者は、図８（ａ）に示す「出社届け出画面」、または図８（ｂ）に示す「退社届け出画面」を介して、上記ＧＰＳ情報を含む出退社報告（Ｐ３２）を、支援サーバ１２に送信する（ステップＳ３３）。
【００９９】
これを受けて、支援サーバ１２は、上記出退社報告（Ｐ３２）に含まれている派遣者のＩＤとパスワードとを、予め派遣者の管理元（雇用先）から送信されている派遣者のＩＤ（識別番号）及びパスワードと照合することで当該派遣者を認証する（ステップＳ３４）。
【０１００】
次に、支援サーバ１２は、上記出退社報告（Ｐ３２）に付加されている派遣者の現在地点を示す上記ＧＰＳ情報をキーとして、路線・住所ＤＢ１２５を検索し、上記派遣者の現在地点に対応する住所を割り出し、さらに、この住所から、対応する派遣先（顧客の事業所名）を割り出す（ステップＳ３５）。
【０１０１】
次に、支援サーバ１２は、上記認証された派遣者の氏名と、上記出退社報告（Ｐ３２）に付加されている出退社月日及び出退社時刻、さらに上記割り出した事業所名とにより、前述の認証した派遣者に対応する出退勤情報を作成する（より具体的には、図８（ｃ）に示す出退勤簿に記録する）（ステップＳ３６）。
【０１０２】
次に、支援サーバ１２は、上記作成された出退勤情報を、確認用情報（Ｐ３３）として派遣者端末１１に返信する。また、上記出退勤情報を、報告（Ｐ３４）として依頼者端末１３に送信する（ステップＳ３７）。
【０１０３】
これを受けて、派遣者端末１１は、受信した確認用情報（Ｐ３３）から「出退勤情報表示画面」を作成して、表示部１１２に表示する（ステップＳ３８）。これにより、当該派遣者は、自己の出退勤情報を確認することができる。
【０１０４】
また、これを受けて、依頼者端末１３は、上記報告（Ｐ３４）に含まれている当該派遣者の出退勤情報を一時保管し、図示しない表示部に表示する（ステップＳ３９）。これにより、依頼元の管理者は、この表示内容を確認すると共に、当該派遣者に関する独自の勤怠管理ファイルに記録することができる。
【０１０５】
この第３の実施の形態によれば、派遣者の派遣元（管理元）は、派遣者を顧客の事業所に派遣するに際し、当該派遣者の派遣先に管理負担を掛けることなく、当該派遣者の勤怠情報を入手して管理することができる効果がある。
【０１０６】
なお、この実施の形態では、派遣者に対する勤怠管理を行う管理システムとして説明したが、本発明は、一般に、自社の従業員や社員を対象にした同様の管理システムとすることは、容易に可能である。
【０１０７】
なお、本発明に係る派遣者支援システム及び派遣者管理システムの各構成要素の処理の少なくとも一部をコンピュータ制御により実行するものとし、かつ、上記処理を、コンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【０１０８】
【発明の効果】
以上説明したように、本発明の派遣者支援システムによれば、派遣者に、派遣先に最寄りの駅の候補を示すと共に、派遣者が選択した最寄り駅から派遣先までの道程を経路誘導することができる派遣者支援システムを提供することができる。
【０１０９】
また、派遣者の現在位置から派遣先までの道程を経路誘導することができる派遣者支援システムを提供することができる。
【０１１０】
さらに、本発明の派遣者管理システムによれば、派遣者の派遣先における勤怠管理を行うことができる派遣者管理システムを提供することができる。
【図面の簡単な説明】
【図１】本発明に係る第１の実施形態の派遣者支援システムの構成を示す構成図である。
【図２】本発明に係る第１の実施形態の派遣者支援システムの派遣者端末に表示される各入力画面と誘導経路の表示画面とを示す説明図である。
【図３】本発明に係る第１の実施形態の派遣者支援システムの主要な構成要素間を流れる情報の流れと、その順序を示すデータフロー図である。
【図４】本発明に係る第１の実施形態の派遣者支援システムの動作を示すフローチャートである。
【図５】本発明に係る第２の実施形態の派遣者支援システムの派遣者端末に表示される各入力画面と誘導経路の表示画面とを示す説明図である。
【図６】本発明に係る第２の実施形態の派遣者支援システムの主要な構成要素間を流れる情報の流れと、その順序を示すデータフロー図である。
【図７】本発明に係る第２の実施形態の派遣者支援システムの動作を示すフローチャートである。
【図８】本発明に係る第３の実施形態の派遣者管理システムの派遣者端末に表示される出退勤情報表示画面を示す説明図である。
【図９】本発明に係る第３の実施形態の派遣者管理システムの主要な構成要素間を流れる情報の流れと、その順序を示すデータフロー図である。
【図１０】本発明に係る第３の実施形態の派遣者管理システムの動作を示すフローチャートである。
【符号の説明】
１１、１１ａ〜１１ｎ  派遣者端末
１２  支援サーバ
１３，１３ａ〜１３ｎ  依頼者端末
１１１，１１１ａ  ＧＰＳ情報取得部
１１２，１１２ａ〜１１２ｎ，１２３  表示部
１１３，１１３ａ〜１１３ｎ，１２２  入力部
１１４，１１４ａ〜１１４ｎ，１２１  通信部
１１５，１１５ａ〜１１５ｎ，１２７  制御部
１２４  駅ＤＢ（データベース）
１２５  路線・住所ＤＢ
１２６  地図ＤＢ
【図１】
2004198235.tif 000003
【図２】
2004198235.tif 000004
【図３】
2004198235.tif 000005
【図４】
2004198235.tif 000006
【図５】
2004198235.tif 000007
【図６】
2004198235.tif 000008
【図７】
2004198235.tif 000009
【図８】
2004198235.tif 000010
【図９】
2004198235.tif 000011
【図１０】
2004198235.tif 000012